【手続補正書】
【提出日】平成26年3月6日(2014.3.6)
【手続補正１】
【補正対象書類名】特許請求の範囲
【補正対象項目名】全文
【補正方法】変更
【補正の内容】
【特許請求の範囲】
【請求項１】
電流を注入することによって光を発生させ、かつ当該光の導波路を構成する、第１層と、
前記第１層を挟み、かつ前記光の漏れを抑制する第２層および第３層と、
前記第１層に前記電流を注入する電極と、
を含み、
前記電極により得られる前記光の導波路は、帯状かつ直線状の形状を有する第１領域、帯状の第２領域、および帯状の第３領域、を有し、
前記第１領域と前記第２領域とは、前記第１層の側面に設けられる第１反射部にて接続され、
前記第１領域と前記第３領域とは、前記第１反射部が設けられる側面と異なる前記第１層の側面に設けられる第２反射部にて接続され、
前記第２領域と前記第３領域とは、前記第１反射部と前記第２反射部とが設けられる側面と異なる側面であって、出射面となる前記第１層の側面に接続され、
前記第１領域は、前記第１領域の長手方向が前記出射面に対して平行になるように設けられ、
前記出射面において前記第２領域から出射される第１の光と、前記出射面において前記第３領域から出射される第２の光とは、同じ方向に出射される、ことを特徴とする発光装置。
【請求項２】
請求項１において、
前記出射面は、前記第１層で発生する光の波長帯において、前記第１反射部と前記第２反射部の反射率よりも低い反射率を備える、ことを特徴とする発光装置。
【請求項３】
請求項１または２において、
前記第１領域と前記第２領域とは、前記第１層、前記第２層、および前記第３層の積層方向から見て、前記第１反射部が設けられる前記側面の垂線に対して第１角度で傾いて前記第１反射部と接続し、
前記第１領域と前記第３領域とは、前記第１層、前記第２層、および前記第３層の積層方向から見て、前記第２反射部が設けられる前記側面の垂線に対して第２角度で傾いて前
記第２反射部と接続し、
前記第１角度および前記第２角度は、臨界角以上である、ことを特徴とする発光装置。
【請求項４】
請求項１ないし３のいずれか１項において、
前記第２領域と前記第３領域とは、前記第１層、前記第２層、および前記第３層の積層方向から見て、同じ方向で前記出射面に接続されている、ことを特徴とする発光装置。
【請求項５】
請求項４において、
前記第２領域と前記第３領域とは、前記第１層、前記第２層、および前記第３層の積層方向から見て、前記出射面の垂線に対して傾いて前記出射面に接続する、ことを特徴とする発光装置。
【請求項６】
請求項４において、
前記第２領域と前記第３領域とは、前記第１層、前記第２層、および前記第３層の積層方向から見て、前記出射面の垂線に対して平行に前記出射面に接続する、ことを特徴とする発光装置。
【請求項７】
請求項１ないし６のいずれか１項において、
前記第２領域は、
直線状の第１部分と、直線状の第２部分と、を有し、
前記第３領域は、
直線状の第３部分と、直線状の第４部分と、を有し、
前記第１部分と前記第２部分とは、前記第１反射部が設けられる前記側面、前記第２反射部が設けられる前記側面、および前記出射面とは異なる、前記第１層の側面に設けられる第３反射部にて接続され、
前記第３部分と前記第４部分とは、前記第１反射部が設けられる前記側面、前記第２反射部が設けられる前記側面、前記第３反射部が設けられる前記側面、および前記出射面とは異なる、前記第１層の側面に設けられる第４反射部にて接続される、ことを特徴とする発光装置。
【請求項８】
請求項７において、
前記出射面は、前記第１層で発生する光の波長帯において、前記第３反射部と前記第４反射部の反射率よりも低い反射率を備える、ことを特徴とする発光装置。
【請求項９】
請求項７または８において、
前記第１部分と前記第２部分とは、前記第１層、前記第２層、および前記第３層の積層方向から見て、前記第３反射部が設けられる前記側面の垂線に対して、第３角度で傾いて接続され、
前記第３部分と前記第４部分とは、前記第１層、前記第２層、および前記第３層の積層方向から見て、前記第４反射部が設けられる前記側面の垂線に対して、第４角度で傾いて接続され、
前記第３角度および前記第４角度は、臨界角以上である、ことを特徴とする発光装置。
【請求項１０】
請求項１ないし９のいずれか１項において、
前記第１領域の長さは、前記第２領域の長さおよび前記第３領域の長さよりも大きい、ことを特徴とする発光装置。
【請求項１１】
第１層と、前記第１層を挟む第２層および第３層と、を有する積層体を含み、
前記第１層は、
光を発生させて導波させる、第１利得領域、第２利得領域、および第３利得領域を有し
、
前記第２層および前記第３層は、
前記第１利得領域、前記第２利得領域、および前記第３利得領域に発生する光の漏れを抑制する層であり、
前記第１層は、
前記積層体の外形を形成する、第１面、第２面、および第３面を有し、
前記第１利得領域、前記第２利得領域、および前記第３利得領域に発生する光の波長帯において、前記第１面の反射率は、前記第２面の反射率および前記第３面の反射率よりも低く、
前記第１利得領域は、前記積層体の積層方向から見て、前記第２面から前記第３面まで、前記第１面に対して平行に設けられ、
前記第２利得領域は、前記第２面において前記第１利得領域と重なり、前記第２面から前記第１面まで設けられ、
前記第３利得領域は、前記第３面において前記第１利得領域と重なり、前記第３面から前記第１面まで設けられ、
前記第２利得領域と前記第３利得領域とは、互いに離間し、前記積層体の積層方向から見て、同じ傾きで傾いて前記第１面と接続している、ことを特徴とする発光装置。
【請求項１２】
請求項１ないし１１のいずれか１項に記載の発光装置と、
前記発光装置から出射された光を集光するマイクロレンズと、
前記マイクロレンズによって集光された光を、画像情報に応じて変調する光変調装置と、
前記光変調装置によって形成された画像を投射する投射装置と、
を含む、ことを特徴とするプロジェクター。
【手続補正２】
【補正対象書類名】明細書
【補正対象項目名】０００８
【補正方法】変更
【補正の内容】
【０００８】
本発明に係る発光装置は、
電流を注入することによって光を発生させ、かつ当該光の導波路を構成する、第１層と、
前記第１層を挟み、かつ前記光の漏れを抑制する第２層および第３層と、
前記第１層に前記電流を注入する電極と、
を含み、
前記電極により得られる前記光の導波路は、帯状かつ直線状の形状を有する第１領域、帯状の第２領域、および帯状の第３領域、を有し、
前記第１領域と前記第２領域とは、前記第１層の側面に設けられる第１反射部にて接続され、
前記第１領域と前記第３領域とは、前記第１反射部が設けられる側面と異なる前記第１層の側面に設けられる第２反射部にて接続され、
前記第２領域と前記第３領域とは、前記第１反射部と前記第２反射部とが設けられる側面と異なる側面であって、出射面となる前記第１層の側面に接続され、
前記第１領域は、前記第１領域の長手方向が前記出射面に対して平行になるように設けられ、
前記出射面において前記第２領域から出射される第１の光と、前記出射面において前記第３領域から出射される第２の光とは、同じ方向に出射される。
【手続補正３】
【補正対象書類名】明細書
【補正対象項目名】００２８
【補正方法】変更
【補正の内容】
【００２８】
本発明に係る発光装置は、
第１層と、前記第１層を挟む第２層および第３層と、を有する積層体を含み、
前記第１層は、
光を発生させて導波させる、第１利得領域、第２利得領域、および第３利得領域を有し、
前記第２層および前記第３層は、
前記第１利得領域、前記第２利得領域、および前記第３利得領域に発生する光の漏れを抑制する層であり、
前記第１層は、
前記積層体の外形を形成する、第１面、第２面、および第３面を有し、
前記第１利得領域、前記第２利得領域、および前記第３利得領域に発生する光の波長帯において、前記第１面の反射率は、前記第２面の反射率および前記第３面の反射率よりも低く、
前記第１利得領域は、前記積層体の積層方向から見て、前記第２面から前記第３面まで、前記第１面に対して平行に設けられ、
前記第２利得領域は、前記第２面において前記第１利得領域と重なり、前記第２面から前記第１面まで設けられ、
前記第３利得領域は、前記第３面において前記第１利得領域と重なり、前記第３面から前記第１面まで設けられ、
前記第２利得領域と前記第３利得領域とは、互いに離間し、前記積層体の積層方向から見て、同じ傾きで傾いて前記第１面と接続している。